(57)【要約】【課題】画面を見ながら遠隔操作装置の操作ボタンを押し操作する煩わしさを回避するとともに、操作ボタンの押し間違いなどの誤操作の発生しにくい操作性に優れた遠隔操作装置を提供すること。【解決手段】記憶媒体５に記憶されたデータを読み取って映像信号や音声信号に変換し、映像や音声を出力する情報処理装置２を遠隔操作する、以下の要件を備えることを特徴とする遠隔操作装置１。（イ）上記遠隔操作装置１は上記情報処理装置２を遠隔操作するための操作キー１４に加え、印刷物６に印刷された目視不可能な不可視情報ｂを読み取る読取装置４を備えたこと（ロ）上記印刷物６は上記記憶媒体５に記憶された情報に関連した情報が目で認識できる可視情報ａとして印刷されていること（ニ）上記不可視情報ｂは、上記可視情報ａに重ねて印刷されるとともに、該可視情報ａを視覚的に損なわないように設定されていること【選択図】図１
2006079688.tif 000002
【特許請求の範囲】
【請求項１】
記憶媒体に記憶されたデータを読み取って映像信号や音声信号に変換し、映像や音声を出力する情報処理装置を遠隔操作する、以下の要件を備えることを特徴とする遠隔操作装置。
（イ）上記遠隔操作装置は上記情報処理装置を遠隔操作するための操作キーに加え、印刷物に印刷された目視不可能な不可視情報を読み取る読取装置を備えたこと
（ロ）上記印刷物は上記記憶媒体に記憶された情報に関連した情報を目で認識できる可視情報が印刷されていること
（ニ）上記不可視情報は、上記可視情報に重ねて印刷されるとともに、該可視情報を視覚的に損なわないように設定されていること
【発明の詳細な説明】
【技術分野】
【０００１】
本発明は、遠隔操作装置、詳しくは映像や音声を出力する情報処理装置を遠隔操作する遠隔操作装置で、操作キーを操作することなく情報処理装置を制御することができる遠隔操作装置に関するものである。
【背景技術】
【０００２】
最近、情報処理装置の一つであるＤＶＤプレイヤーで再生するＤＶＤディスクは記録容量が大きく、映画１作品を日本語の字幕、原語の字幕、日本語の音声、原語の音声などと一緒に１枚のディスクに収容することができるので、このＤＶＤディスクをＤＶＤプレイヤーにセットすると、ＤＶＤプレイヤーはＤＶＤディスクの再生を開始して、テレビにはメインメニューが表示されるようになっている。ユーザーは表示されたメニューの中から必要な項目をリモートコントローラの操作キーを操作して選択し、決定キーなどの操作キーを押し操作することによって、目的とする映像や音声を再生することができるようになっている（例えば、特許文献１）。
【特許文献１】特開２００２−１２４０６９号公報
【発明の開示】
【発明が解決しようとする課題】
【０００３】
本発明が解決しようとする問題点は、上述のリモートコントローラの場合、画面に表示されたメニューの中から選択したい項目にカーソルキーを操作して項目を選び、決定キーを押すなどの操作をしなければならず、操作が煩雑になり誤操作を招きやすく、誤操作をしたときのリカバリーなど悩まされる事態が発生する恐れがある点であった。
【０００４】
本発明は、上記問題点を解決し、画面を見ながら遠隔操作装置の操作ボタンを押し操作する煩わしさを回避するとともに、操作ボタンの押し間違いなどの誤操作の発生しにくい操作性に優れた遠隔操作装置を提供することを課題とする。
【課題を解決するための手段】
【０００５】
前記課題を解決するために本発明に係る遠隔操作装置は、情報処理装置を遠隔操作する、以下の要件を備えることを特徴とする。
（イ）上記遠隔操作装置は上記情報処理装置を遠隔操作する操作キーに加え、印刷物に印刷された不可視情報を読み取る読取装置を備えたこと
（ロ）上記印刷物は上記情報処理装置に装填される記憶媒体に添付されるもので、該情報処理装置は該記憶媒体に記憶された情報を、映像及び音声の何れか一方又は両方に変換して出力すること
（ハ）上記印刷物には上記記憶媒体に記憶された情報に関連した情報が可視情報として印刷されていること
（ニ）上記不可視情報は、上記可視情報に重ねて印刷され、該可視情報を視覚的に損なわないように設定されていること
【発明の効果】
【０００６】
本発明によれば、可視情報に重ねて印刷された不可視情報を読取装置で読み取ることにより、操作キーの操作によらず情報処理装置を遠隔操作することができ、操作性が格段に向上した遠隔装置を実現することができる。
【発明を実施するための最良の形態】
【０００７】
記憶媒体に記憶された情報を、映像及び音声の何れか一方又は両方に変換して出力する情報処理装置を遠隔操作する遠隔操作装置は、情報処理装置を遠隔操作する操作キーに加え、印刷物に印刷された不可視情報を読み取る読取装置を備え、上記印刷物は上記情報処理装置に装填される記憶媒体に添付されるもので、上記印刷物には上記記憶媒体に記憶された情報に関連した情報が可視情報として印刷され、上記可視情報に重ねて印刷される上記不可視情報は、上記可視情報を視覚的に損なわないように設定し、操作キーに代えて読み取った不可視情報で情報処理装置を遠隔制御するようにした。
【実施例１】
【０００８】
図１は本発明に係る遠隔操作装置１を利用したシステムの一例を示し、この遠隔操作装置１は情報処理装置２を遠隔操作する装置であって、この遠隔操作装置１はディスプレイや各種操作キーを備えた装置本体３と、印刷物６に印刷された目で視認できない不可視情報を読み取る読取装置４とから構成され、読み取った不可視情報から上記操作キーに代えて上記情報処理装置２を制御することができるようにしたものである。
【０００９】
本実施例では、上記情報処理装置２をＤＶＤプレイヤーに適応し、上記遠隔操作装置１を上記ＤＶＤプレイヤー２を遠隔操作するリモートコントローラに適応した場合について説明する。
【００１０】
ＤＶＤプレイヤー２は音楽や映画を記録したＤＶＤディスク５をセットし、ＤＶＤディスク５に記録されているデータを読み取り、映像信号及び音声信号に変換してテレビ７に出力し、映像と音声とを楽しむことができるようになっているものである。
【００１１】
例えば、映画の記録されているＤＶＤディスク５をＤＶＤプレイヤー２にセットすると、図２（ａ）に示すような、メインメニュー１００がテレビ７の画面に表示される。このメインメニュー１００には、映画のタイトル１０１、登場する主人公等の映画の重要な部分の映像１０２、この画面がメインメニュー画面であることを知らせる表示１０３のほかに、再生を開始させるための再生キー１０４、チャプターメニュー画面を表示させるためのチャプターキー１０５、音声メニュー画面を表示させるための音声キー１０６、字幕メニュー画面を表示させるための字幕キー１０７が設定されている。
【００１２】
ユーザーは後述するリモートコントローラ１のカーソルキーを操作して、任意のキーを選択し、決定ボタンを押し操作すれば、ＤＶＤプレイヤー２は指定されたキーから、ユーザーが希望する処理が何であるかを認識し、指定したキー（再生キー１０４、チャプターキー１０５、音声キー１０６、字幕キー１０７の何れか）の処理が実行されるようになっていればよい。
【００１３】
メインメニューの画面で再生キー１０４を選択すれば映画が再生され、チャプターキー１０５を選択すれば、図２（ｂ）に示すような、チャプターメニュー画面が表示され、音声キー１０６を選択すれば、図２（ｃ）に示すような、音声メニュー画面が表示され、字幕キー１０７を選択すれば字幕を表示させるのか、表示させるとすればその言語は日本語なのか、英語なのかを選択する字幕メニュー（図示せず）が表示されるようになっている。
【００１４】
チャプターメニュー画面では、この画面がメインメニュー画面であることを知らせる表示１１１、チャプターを選択するためのチャプターキー１１２〜１１７、同一画面に表示されるチャプター群を選択するためのチャプター群選択キー１１８〜１２２、及びメインメニュー画面に戻るためのメインメニューキー１２３が表示されるようになっている。
【００１５】
上記チャプターキー１１２〜１１７には、それぞれチャプターの内容をイメージした画像が嵌め込まれ、この画像からこのチャプター群にはどのような内容の映像があるのかが判るようになっている。例えば、チャプター１１３をカーソルボタンで選択し、決定ボタンを押すと第２のチャプターから再生が開始されるようになっている。
【００１６】
また、チャプター群選択キー１１８〜１２２は、チャプター群を選択するためのものであり、各キーには「１−６」〜「２５−３０」と表示され、例えば、チャプター群選択キー１１８を選択して決定ボタンを押せば、画面には第１のチャプターから第６のチャプターまでのチャプター選択画面が表示される。また、チャプター群選択キー１２０を押下すると、第１３のチャプターから第１８のチャプターまでのチャプター選択画面が表示されるようになっている。
【００１７】
音声メニュー画面では、この画面が音声メニュー画面であることを知らせる表示１３０、音声を日本語で出力するための日本語キー１３１、音声を英語で出力するための英語キー１３２、音声をドイツ語で出力するためのドイツ語キー１３３、音声をイタリア語で出力するためのイタリア語キー１３４が表示されるように設定されている。
【００１８】
この音声メニュー画面には、メインメニュー画面に戻るためのメインメニューキー１３５、字幕メニュー画面に戻る字幕メニューキー１３６、及び再生を開始させるための再生キー１３７が表示されるように設定されている。
【００１９】
そして、ＤＶＤディスク５に添付される印刷物６である解説書にも、上記画面と同じ画像が可視情報として印刷されている（図３参照）。
【００２０】
この解説書６には、画面の表示と同じ画像の可視情報ａに重ねて、不可視情報ｂが印刷されている。
【００２１】
可視情報ａは、赤外線をほとんど吸収しないインク（例えば、基本の色インク、すなわちシアン、マゼンダ、イエローの組合せ）でカラー印刷され、不可視情報ｂは可視情報aの上に、赤外線を吸収するインク（例えば、黒の油性インク）で印刷された二次元コードで構成されている。
【００２２】
不可視情報ｂは上記可視情報ａを損なわないように、目で視認できないような小さなドット（０．５ミリ角内に６Ｘ６個）からなる二次元コード（以下、ドットコードという）で構成されるとともに、６Ｘ６のドットコードを１つのデータ単位とし、解説書の可視情報ａ上に２次元的に連続して印刷されているもので、このドットコードｂはヘッダ情報ｂ１とデータ情報ｂ２とから構成され、ヘッダ情報ｂ１はドットコードｂを他のドットコードｂと切り分ける情報を備え、データ情報ｂ２は可視情報ａを特定する情報が表示されているものである。
【００２３】
リモートコントローラ１は、前面にディスプレイ１０と、数字キー１１、カーソルキー１２、決定キー１３他からなる操作キー１４が配置され、押し操作された操作キー１４は操作信号に変換され、赤外線送信部１５からＤＶＤプレイヤー２に送信できるようになっているもので、このリモートコントローラ１は上記操作キーに加えて印刷物６に印刷された可視情報ａの上に重ねて印刷された不可視情報ｂを読み取る読取装置４がケーブル１６を介して接続されている。
【００２４】
ペンを模して形成された読取装置（以下、読取ペンという）４の内部には、図５に示すように、赤外線を照射する光源２０と、導光体２１ａと一体に形成されたレンズ２１、フィルター２２、画像センサー２３及び、処理プログラムを内蔵したドットパターン認識ＣＰＵ２４とから構成された読取部２５が配置され、この読取部２５は光源２０から導光体２１ａを介して印刷物６の表面に赤外線を照射し、照射した赤外線の一部はドットコードｂで吸収されるが、吸収されずに反射した反射光はレンズ２１で集光されフィルター２２を通して画像センサー２３に取り込まれ、取り込まれた画像はデジタル信号に変換され、デジタル信号はドットパターン認識ＣＰＵ２４でデータ情報ｂ２からドットコードが解析され、そのドットコードｂを構成するドットの組合せが数字コードに変換されるようになっている。
【００２５】
装置本体３に配置された制御部２６は変換された数字コードに基づいてメモリ２７から指定エリアを定義する制御コマンドを読み出し、読み出した制御コマンドをデジタル信号に変換して、操作キーと同様に赤外線送信部１５から赤外線信号としてＤＶＤプレイヤー２に向けて送信するようになっている。
【００２６】
ＤＶＤプレイヤー２は受信した制御コマンドを、カーソルキー１２で選択し、決定ボタン１３を押し操作したのと同様に判断し、操作ボタンに代えて読取ペン４で読み取った不可視情報に基づいて手入力と同じ処理を行なうようになっていればよい。
【００２７】
次に、上記構成のリモートコントローラ１の使用態様について説明する。映画のＤＶＤディスク５をＤＶＤプレイヤー２にセットすると、図２（ａ）に示すような、メインメニュー１００がテレビ７の画面に表示されるので、ＤＶＤディスク５に添付されている解説書６を開いて、画面に表示された内容と同じ内容（メインメニュー）が印刷された頁を開く（図３参照）。
【００２８】
次に、読取ペン４をメインメニューの中の選択したい処理の処理名又は処理名の前に印刷されているキー部分にタッチする。処理名及びキーにはドットコードｂが重ねて印刷されているので、読取ペン４の先端を希望する処理名又はキーにタッチさせると、内装された読取部２５がドットコードｂを読み込み、ドットパターン認識ＣＰＵ２４でドットコードｂが数字コードに変換されて装置本体３に入力されるので、装置本体３の制御部２６はその数字コードに基づいて、操作キー１４を押し操作したときと同じ制御信号を赤外線送信部１５からＤＶＤプレイヤー２に発信する。
【００２９】
ＤＶＤプレイヤー２は受信した制御信号に基づいて、ユーザーの指定した処理（例えば、チャプター画面表示）を行い、画面にチャプター画面を表示する。ユーザーは、解説書６の頁を画面の表示と同じ表示内容に対応させる。
【００３０】
ユーザーは、装置本体３のカーソルキーを操作することなく、画面に表示されたチャプター群選択キー１１８〜１２２に相当する、解説書のチャプター群選択キー２１８〜２２２の可視情報ａに読取ペン４の先端をタッチさせる。可視情報ａにはそのチャプター群選択キー２１８〜２２２を特定する不可視情報ｂが印刷されているので、タッチしたチャプター群選択キーに対応したチャプターの内容をイメージした画像が、チャプターキー１１２〜１１７に嵌め込まれるので、この画像からこの選択したチャプター群にはどのような内容の映像があるのかが判る。
【００３１】
このチャプター群以外のチャプター群の内容が見たければ、新たに解説書のチャプター群選択キー２１８〜２２２（可視情報）の印刷されている部分に読取ペン４の先端をタッチさせればよいし、このチャプター群でよければ、どのチャプターから再生したいかによって表示されている画像に対応するチャプターキー１１２〜１１７（可視情報）のエリアに読取ペン４の先端をタッチさせればよい。
【００３２】
読取ペン４の読取部２５が読み取ったドットコードｂから、装置本体３の制御部２６はどのチャプターキーかを判断し、ＤＶＤプレイヤー２に制御信号を送信するので、制御信号を受け取ったＤＶＤプレイヤー２はユーザーが見たいと思うチャプターから再生することができ、リモートコントローラの操作キーを押し操作することなく、画面の表示と解説書の頁とを対応させ、解説書の可視情報に読取ペン４をタッチさせるだけで見たい場所から再生させることができ、操作キーを押しながら画面の状態を確認する必要がなく、操作性を格段に向上させたリモートコントローラを実現することができる。
【産業上の利用可能性】
【００３３】
なお、上述の遠隔操作装置は記憶媒体であるＤＶＤディスク５を情報処理装置であるＤＶＤプレイヤー２にセットし、これを遠隔操作する場合について説明したが、記憶媒体がＤＶＤディスク５に限定されるものではなく、例えば記憶媒体が音楽を記録したコンパクディスク（ＣＤ）で情報処理装置がオーディオコンポであっても構わない。この場合、ＣＤを収容するケースの背面や、ＣＤとともに収容された解説書に記載された曲のタイトルに、不可視情報を重ねて印刷しておき、リモートコントローラ１の読取ペン４を聞きたい曲のタイトルにタッチさせることにより、そのタイトルの曲が再生されるようにしてもよい。このことにより、聴きたい曲の曲名の前に付与された番号を覚え、その番号をリモートコントローラの数字キーを押して入力する必要がなくなり、数字の押し間違いなどのない、確実な曲目の設定を行なうことができる。
【図面の簡単な説明】
【００３４】
【図１】本発明に係る遠隔操作装置の使用環境を説明する斜視図
【図２】（ａ）〜（ｃ）はテレビに表示される画面の説明図
【図３】印刷物に印刷された可視情報と不可視情報との関係を説明する説明図
【図４】遠隔操作装置の平面図
【図５】上記遠隔操作装置のブロック図
【符号の説明】
【００３５】
１    遠隔操作装置（リモートコントローラ）
２    情報処理装置（ＤＶＤプレイヤー）
４    読取装置
５    記憶媒体（ＤＶＤディスク）
６    印刷物（解説書）
１４    操作キー
ａ    可視情報
ｂ    不可視情報
【図１】
2006079688.tif 000003
【図２】
2006079688.tif 000004
【図３】
2006079688.tif 000005
【図４】
2006079688.tif 000006
【図５】
2006079688.tif 000007